(57)【要約】【課題】プリントコンテンツの高画質化を図り、容易に高精細なプリント画像を得る。【解決手段】複数の放送番組に係る放送データを受信する受信手段と、前記受信手段により受信された放送データに係る画像データを表示装置に出力する画像処理手段と、前記表示装置により表示されている画像データよりプリントすべき一画面を指定する指定手段と、前記指定手段による指定に応じて、前記表示装置にて表示中の放送番組を特定するサービス情報と前記放送番組における前記指定された一画面の位置を特定するための位置情報とを含む番組特定情報を、ネットワークを介して前記放送番組の放送処理に関連した所定の外部装置に出力すると共に、前記外部装置より前記指定された一画面のプリント用画像データを入力する通信手段とを備える。【選択図】　　　図１
2004102590.tif 000002
【特許請求の範囲】
【請求項１】
映像、音声あるいはデータを含む放送番組を放送、配信する放送局と、
双方向伝送サービスを提供するセンタと、
前記放送番組を受信、再生可能な放送受信装置と、
映像データをプリント出力可能なプリンタとから構成され、
前記放送受信装置は、ネットワークと接続可能な接続手段と、前記ネットワークを介して受信中の放送番組に係る番組情報を入力すると共に前記放送番組中の指定された一画面に係る番組特定情報を出力する通信手段とを備え、
前記センタは、前記放送受信装置より出力された番組特定情報に基づいて前記放送番組を提供するコンテンツプロバイダにより提供された番組中から前記指定された一画面を検索する検索手段と、前記検索手段により検索された一画面の映像データをネットワークを介して前記放送受信装置へ送信する送信手段とを備え、
前記プリンタにより前記放送受信手段が受信した前記一画面の映像データを基にプリントを行うことを特徴とする受信システム。
【請求項２】
前記放送局は、前記放送番組を放送、配信する際に映像データを圧縮処理する処理手段と、前記放送番組の配信時刻を管理する管理手段と、前記圧縮処理された映像データの配信時刻と圧縮処理前の映像データとの関係を保持する保持手段とを備えることを特徴とする請求項１記載の受信システム。
【請求項３】
前記通信手段が受信する番組情報は前記受信中の放送番組を指定するサービス情報と前記放送番組のフレーム毎に付加された配信時刻情報とを含み、前記通信手段に出力される番組特定情報は前記指定された一画面を含む番組に関するサービス情報と前記指定された一画面を示す時刻情報とを含むことを特徴とする請求項１記載の受信システム。
【請求項４】
放送受信装置は更に、前記プリンタの性能情報を取得する第二の取得手段を有し、前記通信手段は更に前記プリンタ性能情報を前記センタに出力することを特徴とする請求項３記載の受信システム。
【請求項５】
前記センタは更に、前記プリンタ性能情報に基づいて前記一画面の画像データを生成することを特徴とする請求項４記載の受信装置。
【請求項６】
前記センタは更に、前記放送受信装置により出力された番組特定情報を受信する受信手段を有し、
前記検索手段は、前記サービス情報に基づいて特定の番組を検出すると共に、前記時刻情報に基づいて前記特定の番組中の前記一画面を検出することを特徴とする請求項３記載の受信システム。
【請求項７】
前記センタは更に、前記検索手段により検出された一画面の映像データを取得する取得手段を有することを特徴とする請求項５記載の受信システム。
【請求項８】
前記センタは更に、前記検出された一画面の画像データに係る画像のプリントが許可されているか否かを判定し、許可されている場合に前記一画面の画像データを前記放送受信装置へ送信し、禁止されている場合にはその旨を示す情報を前記放送受信装置に送信することを特徴とする請求項１記載の受信システム。
【請求項９】
複数の放送番組に係る放送データを受信する受信手段と、
前記受信手段により受信された放送データに係る画像データを表示装置に出力する画像処理手段と、
前記表示装置により表示されている画像データよりプリントすべき一画面を指定する指定手段と、
前記指定手段による指定に応じて、前記表示装置にて表示中の放送番組を特定するサービス情報と前記放送番組における前記指定された一画面の位置を特定するための位置情報とを含む番組特定情報を、ネットワークを介して前記放送番組の放送処理に関連した所定の外部装置に出力すると共に、前記外部装置より前記指定された一画面のプリント用画像データを入力する通信手段とを備える受信装置。
【請求項１０】
前記外部装置より入力したプリント用画像データは前記表示装置により表示される画像データよりも高精細な画像データであることを特徴とする請求項９記載の受信装置。
【発明の詳細な説明】
【０００１】
【発明の属する技術分野】
本発明は受信システムに関し、特には受信した放送番組中の一画面を指定してプリントする技術に関する。
【０００２】
【従来の技術】
従来、テレビやビデオカメラからの映像信号をプリントする装置としてビデオプリンタがある。
【０００３】
【発明が解決しようとする課題】
しかし、従来のビデオプリンタでは以下のような問題が生じる。
【０００４】
受信機で受信した画像データからしかプリント用の画像を作成できない為、元々画質が低い動画データから静止画像を作成しても画質が悪い。
【０００５】
放送局側が放送コンテンツをダウンコンバートして放送することがあり、受信した時点で既に画質が低下しているため、受信機で高画質化処理を施しても画質が悪い。
【０００６】
受信した画像データをユーザーがそのままプリント出力できるため、著作権の保護が難しい。
【０００７】
本発明はこの様な問題に鑑みてなされたものであって、プリントコンテンツの高画質化を図り、容易に高精細なプリント画像を得ることを目的とする。
【０００８】
【課題を解決するための手段】
前記課題を解決するため、本発明にあっては、映像、音声あるいはデータを含む放送番組を放送、配信する放送局と、双方向伝送サービスを提供するセンタと、前記放送番組を受信、再生可能な放送受信装置と、映像データをプリント出力可能なプリンタとから構成され、前記放送受信装置は、ネットワークと接続可能な接続手段と、前記ネットワークを介して受信中の放送番組に係る番組情報を入力すると共に前記放送番組中の指定された一画面に係る番組特定情報を出力する通信手段とを備え、前記センタは、前記放送受信装置より出力された番組特定情報に基づいて前記放送番組を提供するコンテンツプロバイダにより提供された番組中から前記指定された一画面を検索する検索手段と、前記検索手段により検索された一画面の映像データをネットワークを介して前記放送受信装置へ送信する送信手段とを備え、前記プリンタにより前記放送受信手段が受信した前記一画面の映像データを基にプリントを行うことを特徴とする受信システムが提示される。
【０００９】
【発明の実施の形態】
（第一の実施形態）
以下、本発明の実施形態について図面を参照して詳細に説明する。図１は第一の実施例における放送プリントシステムの主要部の構成を示す図である。
【００１０】
図１において、１００はインターネットであり、ストリーミング番組データ、番組情報等を伝送する。また、双方向データ放送サービスを利用する際に情報センタやＩＳＰ（Ｉｎｔｅｒｎｅｔ　Ｓｅｒｖｉｃｅ　Ｐｒｏｖｉｄｅｒ）との通信に利用される。
【００１１】
１０１は放送局であり、情報サーバ１０２に蓄積されている番組コンテンツ、ストリーミング番組コンテンツ、番組情報等の配信を行う。番組の放送形態によって放送衛星や通信衛星といった衛星１０３が使用される。また、情報センタ１０４は双方向データサービスを行う際に、後述する放送受信機１０５とインターネット１００を介して通信し、必要な情報を特定のユーザーに配信する機能を備える。
【００１２】
１０５は放送受信装置であり、制御部１０６、チューナー部１０７、デマルチプレクサ１０８、ビデオデコーダ１０９、オーディオデコーダ１１０、データストリーム処理部１１１、画面構成部１１２、画像制御部１１３、音声制御部１１４、モニタ１１５、スピーカ１１６、通信制御部１１７、蓄積部１１８、メモリ１１９、１３９４Ｉ／Ｆ１２０、操作制御部１２１により構成される。
【００１３】
チューナー部１０７は放送局１０１より配信された番組コンテンツを選択し、復調、誤り訂正等の処理を施し、トランスポートストリーム（ＴＳ）と呼ばれる形式のデジタルデータを生成する。
【００１４】
デマルチプレクサ１０８は、時分割多重されているＴＳデータの中から所望の番組コンテンツをコンポーネント毎に分配し、ビデオデコーダ１０９、オーディオデコーダ１１０、データストリーム処理部１１１へと供給する。
【００１５】
ビデオデコーダ１０９は、デマルチプレクサ１０８より入力された映像データに対して、デコード処理を施し、復号した映像データを表示制御部１１３に出力する。表示制御部１１３は操作制御部１１５の操作に応じて画面を切り替えたり、多重したりしてモニタ１１５に表示させる。
【００１６】
オーディオデコーダ１１０は、デマルチプレクサ１０８より入力された音声データに対して、デコード処理を施し、復号した音声データを音声制御部１１４に出力する。音声制御部１１４は、オーディオデコーダ１１０より入力された音声データに対してＤ／Ａ変換等の処理を施し、スピーカ１１６に出力する。
【００１７】
データストリーム処理部１１１は、デマルチプレクサ１０８より入力されたデータ放送データ（例えば、テキスト情報、スクリプト情報、画像情報、ストリーム放送の映像・音声データ）に対して、表示できる形態へ処理を施し、復号したデータ放送データを画面構成部１１２に出力する。また、制御部１０６の指示により番組表を作成する際に使用するＥＰＧ（Ｅｌｅｔｒｏｎｉｃ　Ｐｒｏｇｒａｍ　Ｇｕｉｄｅ）データなど必要に応じてデータ放送データを蓄積部１１８に蓄積、記憶する。
【００１８】
画面構成部１１２は、制御部１０６によって処理され、データストリーム処理部１１１により出力されたデータ放送データに基づく映像信号を表示制御部１１３に出力する。
【００１９】
表示制御部１１３は前述した通り、映像画面やデータ放送画面等の切り替え、合成表示などの映像信号をモニタ１１５へ出力する。通信制御部１１７は、モデム機能を備え不図示の電話回線経由でインターネット接続する際に用いられる。
【００２０】
メモリ１１９は、操作制御部１２１より静止画の要求があると、制御部１０６の指示に従って画像データの取り込みを行う。ＩＥＥＥ１３９４インタフェース（Ｉ／Ｆ）１２０は、放送受信装置１０５に接続されるプリンタ１２２とプロトコル通信、データ送受信を行う為に用いられる。操作制御部１２１は、リモコンの信号を受信する機能を備え、不図示のリモコンより送信された赤外線を受信／解析し、ユーザーがリモコンで操作したボタンのコードを出力する。制御部１０６はＣＰＵの機能を備えており、操作制御部１２１を通じてユーザーがリモコンで操作したボタンを判別可能に構成され、さらに、各構成要素を統合的に制御する。また、制御部１０６はメモリを有しており、制御部１０６はメモリ内に格納されているプログラムに従って動作する。
【００２１】
以上の構成において、本形態における放送プリントシステムの一連の動作に関して図２〜図４を用いて以下に説明する。尚、本形態では現在放送中の番組を受信しているものとする。
【００２２】
図２は放送受信装置１０５において、ユーザーによりプリントコンテンツが指定されるまでの動作を説明するフローチャートである。
【００２３】
先ず、番組視聴中にユーザーにより静止画像が要求されると（Ｓ２０１）、放送受信装置１０５は画像データをメモリ１１９へと取り込む（Ｓ２０２）。放送受信装置１０５は取り込んだ画像データをもとに静止画像の作成を行い表示する（Ｓ２０３）。但し、Ｓ２０３でユーザーに提示する静止画像はプリントコンテンツのイメージを示すものであり、この画像データをもとにプリント出力するわけではない。
【００２４】
次に、静止画像表示操作（Ｓ２０３）に続けて、ユーザーによりプリント出力の指示がなされると、蓄積部１１８に蓄積しているＳＩ（Ｓｅｒｖｉｃｅ　Ｉｎｆｏｒｍａｔｉｏｎ）情報の解析を行い、静止画像に関する番組情報の取得を行う（Ｓ２０４）。ＳＩ情報の解析とは、例えばＢＳ放送、ＣＳ放送、地上波デジタル放送といったネットワーク種別を判断する為のネットワークＩＤ、該ネットワークに含まれるトランスポートストリーム（ＴＳ）を指定する為のＴＳＩＤ、該トランスポートストリーム中のサービスを指定する為のサービスＩＤ、該サービス中の番組を特定する為のイベントＩＤをＮＩＴ（Ｎｅｔｗｏｒｋ　Ｉｎｆｏｍａｔｉｏｎ　Ｔａｂｌｅ）やＳＤＴ（Ｓｅｒｖｉｃｅ　ＤｉｓｃｒｉｐｔｉｏｎＴａｂｌｅ）、ＥＩＴ（Ｅｖｅｎｔ　Ｉｎｆｏｒｍａｔｉｏｎ　Ｔａｂｌｅ）から、プリント出力の指示を受けた番組を特定する為の情報を取得することを指している。また、本形態では、番組中のどの場面（フレーム）であるかを特定する方法として、静止画像のタイムスタンプ情報を取得する。タイムスタンプ情報とは、例えば映像情報をデコードする時間を記したＤＴＳ（Ｄｅｃｏｄｅ　Ｔｉｍｅ　Ｓｔａｍｐ）やＰＴＳ（Ｐｒｅｓｅｎｔａｔｉｏｎ　Ｔｉｍｅ　Ｓｔａｍｐ）である。
【００２５】
番組情報の取得（Ｓ２０４）が完了すると、放送受信装置１０５はインターネット１００を経由して情報センタ１０４へ番組情報の通知を行う。通知の方法については後ほど説明する。
【００２６】
図３は情報センタ１０４において、番組情報の通知を受け付けてから、プリントコンテンツを配信するまでを説明するフローチャートである。
【００２７】
情報センタ１０４において、番組情報の通知を受け付けると、前述したネットワークＩＤ、ＴＳＩＤ、サービスＩＤ、イベントＩＤにより番組の特定を行う（Ｓ３０１）。番組データは、情報センタ１０４から放送局１０１経由でコンテンツプロバイダ１０２から取得するか、データ放送データであれば情報センタ１０４から直接コンテンツプロバイダで管理されている番組データの取得を行うことも可能である。ここで、コンテンツプロバイダ１０２には、放送されている番組が圧縮される前の状態で蓄積、管理されている為、放送データに比べ、より高画質・高品質な画像データの取得が行える。
【００２８】
放送受信装置１０５より通知された番組情報を基に、番組の検索・取得（Ｓ３０１）が完了すると、情報センタ１０４ではユーザーにより指定された番組の一場面（以下、プリントコンテンツ）をタイムスタンプ情報から検索する（Ｓ３０２）。検索方法については後ほど説明する。また、プリントコンテンツはタイムスタンプ情報から特定される一場面のみではなく、該タイムスタンプの前後を含む複数の場面をプリントコンテンツとしても良い。
【００２９】
プリントコンテンツが特定されると情報センタ１０４ではプリントの可／不可を判断する。プリントの可／不可の判断は時刻情報にて行っても良いし、番組配信の際にフレーム毎に情報センタ、もしくは放送局にて管理される。
【００３０】
プリント出力が可であれば、情報センタ１０４はプリント要求を受け付けた放送受信装置１０５へプリントコンテンツの配信を行う（Ｓ３０３）。もし、プリント出力が不可であれば、情報センタ１０４よりプリント出力が不可であることを例えばメッセージとして配信するか（Ｓ３０４）、指定された前後でプリント出力が可の画像データと共にその旨を伝えるメッセージを配信しても良い。
【００３１】
図４はプリントコンテンツを受信してから、ユーザーによりプリント出力されるまでを説明するフローチャートである。
【００３２】
情報センタ１０４よりプリントコンテンツを受信すると（Ｓ４０１）、放送受信装置１０５は前述した静止画像の表示（Ｓ２０３）に代わって、プリントコンテンツとして新たに静止画像の提示を行う（Ｓ４０２）。ユーザーによりプリントコンテンツの出力指示がなされると（Ｓ４０３）、所望に応じて接続されたプリンタに適するように画像処理が施され（Ｓ４０４）、プリントコンテンツの出力が行われる（Ｓ４０５）。ここでの前記画像処理（Ｓ４０４）とは、送信されてきた画像サイズをプリンタに挿入されている用紙サイズに拡大・縮小するといったことを指している。
【００３３】
次に、ユーザーによりプリント出力の指示を受け、画像データを取得するまでのシーケンスについて放送受信装置１０５の動作を中心に図５を用いて説明する。ここで、説明中に出てくるコマンド／レスポンスの基本構成はＩＳＯ７８１６−４：１９９５に準拠するものとし、ＡＰＤＵ（Ａｐｐｌｉｃａｔｉｏｎ　Ｐｒｏｔｏｃｏｌ　Ｄａｔａ　Ｕｎｉｔ）フォーマットに従いデータ交換をするものとする。ただし、フォーマットの形式はこの限りではない。
【００３４】
まず、放送データもしくは通信用データを受信中（５０１）、ユーザーによりプリント出力が要求されると、放送受信装置１０５は装着されているＩＣカードに対して「データ通信開始コマンド」により通信開始を要求する（５０２）。ＩＣカードは指定された情報センタ１０４との暗号通信が可能な状態であると判断すると、リターンコードとして「データ送信可」を返し（５０３）、アプリケーションで指定される情報センタの情報に従い、内蔵のモデムより情報センタ１０４に対してダイヤルし回線を接続する（５０４）。ここで、情報センタ１０４の情報とは「発呼先電話番号」、「有料事業体識別」、「センタＩＤ」といった情報センタを特定する為の情報で、データ放送や放送波に含まれるＳＩ（Ｓｅｒｖｉｃｅ　Ｉｎｆｏｒｍａｔｉｏｎ）などにより指示される。
【００３５】
放送受信装置１０５と情報センタ１０４との接続が行われると（５０５）、放送受信装置はＩＣカードに「呼接続状態通知コマンド」により「接続完了」を通知し、接続に失敗した場合には「発呼失敗」の通知を行う（５０６）。また、「発呼失敗」の場合は以下の動作は実行しない。
【００３６】
放送受信装置１０５と情報センタ１０４との接続が完了すると、ＩＣカードは放送受信装置１０５を介して情報センタとの間でお互いの認証を行う（５０７、５０８）。認証内容に関してはセキュリティの問題等から放送受信装置１０５はＩＣカードと情報センタとのやりとりには関与しない。
【００３７】
放送受信装置１０５は「センタ応答コマンド」のレスポンスで（５０８）、リターンコードとして「データ送信可」がＩＣカードより送られると（５０９）、「データ通信モード」となり、ＩＣカードに対して送信データを「データ暗号コマンド」により送信する（５１０、５１２）。ここで、送信データは例えば図１６に示す構成からなり、データ部（ｔ１０１）に放送番組を特定する為の番組情報が記述されている。
【００３８】
ＩＣカードは受け取ったデータを暗号化し、結果を放送受信装置に対して返す（５１１、５１３）。この時、送信データのバイトサイズが例えば２０４８バイトより大きかった場合には複数個に分割して送信する。放送受信装置１０５はＩＣカードより受け取った暗号化されたデータを情報センタ１０４へ送信する（５１４）。情報センタは暗号化されたデータを解析し、データ中に記述されている「ネットワークＩＤ」、「ＴＳＩＤ」、「サービスＩＤ」、「番組ＩＤ」、「タイムスタンプ」等の情報から目的のコンテンツを検索しコンテンツプロバイダから所望の画像データを取得する（５１５、５１６）。情報センタ１０４は取得した「画像データ」を「応答データ」として暗号化してから放送受信装置１０５へ送信する（５１７）。放送受信装置１０５は受け取った応答データを「応答データ復号コマンド」によりＩＣカードに渡す（５１８）。ＩＣカードは受け取った暗号化応答データを復号し、受信機１０５に対して復号した応答データを返す（５１９）。この時、受信データのバイトサイズが大きかった場合には複数個に分割して送信する（５２０、５２１）。
【００３９】
この様な一対の往復処理を必要に応じて複数回行う。データ通信を終了すると、放送受信装置１０５はＩＣカードに対して「データ通信終了コマンド」を送信し（５２２）、レスポンスとしてＩＣカードから情報センタ１０４へ「正常終了」が返される（５２３）。情報センタでは「正常終了」を受信すると、「センタ応答コマンド」として「正常終了」をＩＣカードに通知する（５２４）。
【００４０】
呼切断は、放送受信装置１０５に対して「呼切断」をＩＣカードがレスポンスのＩＣカード指示として通知することにより行われる（５２５）。
【００４１】
次に、プリントコンテンツに関する情報を取得し、画像データを放送受信装置１０５に送信するまでの情報センタ１０４、及び放送局１０１の動作について図６を用いて説明する。ただし、コンテンツプロバイダ１０２では圧縮等の加工が施されていない原画像の状態で番組蓄積されているものとする。
【００４２】
まず、放送局では原画像を符号化制御しながら番組の配信を行う。ここで、符号化制御方法については、本発明の趣旨ではないので説明を省略する。
【００４３】
符号化制御により原画像の各フレームは図１７（ａ）に示す通り、Ｉピクチャ（Ｉｎｔｒａ−Ｐｉｃｔｕｒｅ）、Ｂピクチャ（Ｂｉｄｉｒｅｃｔｉｏｎａｌｌｙ　　ｐｒｅｄｉｃｔｉｖｅ−Ｐｉｃｔｕｒｅ）、Ｐピクチャ（Ｐｒｅｄｉｃｔｉｖｅ−Ｐｉｃｔｕｒｅ）へと変換され、各フレーム毎に復号再生処理の時刻管理情報として、ＰＴＳ（Ｐｒｅｓｅｎｔａｔｉｏｎ　Ｔｉｍｅ　Ｓｔａｍｐ）と呼ばれる再生出力の時刻管理情報と、ＤＴＳ（Ｄｅｃｏｄｉｎｇ　Ｔｉｍｅ　Ｓｔａｍｐ）と呼ばれる復号の時刻管理情報が付加される。
【００４４】
放送局では、番組の配信と同時に該時刻管理情報とフレームナンバーとの関係を放送時刻管理部６０１にて管理する（図６参照）。また、時刻管理は放送局に限らず情報センタにて管理しても良い。また、時刻管理は図１７（ｂ）中、太線で囲んだＰＴＳとＤＴＳの付加されているＩピクチャやＰピクチャの時刻管理情報だけでも良い（７０１ｂ、７０２ｂ、７０３ｂ）。これはＩピクチャやＰピクチャ間などある程度の時間幅であれば対象フレームが予測可能であるためである。予測方法については本発明の趣旨ではないので説明を省略する。
【００４５】
ここで、図１７（ａ）、（ｂ）中のプリント制限情報は、各フレームごとのプリントの可／不可情報を示しており、前述した放送時刻管理部にて管理される。また、プリント出力要求を受け付けた場合に、放送局はプリント制限情報に基づいて前述したプリントの可／不可を判断する。
【００４６】
次に、情報センタが放送受信装置により番組コンテンツを特定する手段となる「ネットワークＩＤ」、「ＴＳＩＤ」、「サービスＩＤ」、「番組ＩＤ」を含む番組情報を受信したとする。該番組情報により、「ネットワークＩＤ」から、例えばＢＳ放送であることが特定でき、「ＴＳＩＤ」、「サービスＩＤ」により放送局の特定ができる。さらに、「番組ＩＤ」により目的とする番組コンテンツが特定できる。そして、特定した番組コンテンツの配信元となる放送局から番組コンテンツを取得する。
【００４７】
情報センタは取得した番組コンテンツと「タイムスタンプ」情報から、該番組情報をもとに番組コンテンツ中のプリント対象となるフレームの検索を行う。
【００４８】
また、ここでは情報センタが番組コンテンツを放送局より取得し、番組情報を基にプリントコンテンツとなるフレームの検索を行うとしたが、情報センタから放送局へ番組情報を送信し、放送局でフレームの検索を行い、検索結果である画像データを放送局から情報センタへ送信するとしても良い。
【００４９】
図７はフレーム検索時の概念図を示す図である。７０１は原画像の各フレームを示し、フレーム中の各数値はフレームナンバーを表している。７０２は符号化処理を施した際の各フレームの順序を示し、その下部には各フレームのＰＴＳ、ＤＴＳを示している。７０３は放送受信装置において復号処理を施した際の各フレームナンバー、及び各フレームのＰＴＳ、ＤＴＳを示している。
【００５０】
例えば、ユーザーが番組を視聴しようとして再生を開始した時点が７０３におけるフレーム２の位置であったとする。この時、放送受信装置では７０４で示す通りフレームナンバーは０となるが、ＰＴＳは２であることに注意されたい。すなわち、放送受信装置において例えば５フレーム目のプリント出力が指定されると、フレーム５はＰＴＳ７であることから、原画像と符号化処理後のフレームとタイムスタンプの関係からフレーム７の画像がプリント指定されたことになる。したがって、情報センタもしくは放送局では、フレーム７をプリントコンテンツとして送信準備する。
【００５１】
以上の手順により、指定された番組情報からプリント対象となる画像データを検索し、プリントコンテンツとしてインターネットを介して放送受信装置へ送信する。
【００５２】
図８はプリントコンテンツ受信時の表示画面例である。８０１は現在視聴している番組の表示画面、８０２はプリント出力される静止画像、８０３にはプリント可の場合には静止画像の情報が表示され、プリント不可の場合は「指定の画面はプリントできません」等の表示を行う。また、８０４はリモコンで、８０５に示す各ボタンを押下することにより「プリント出力」、「プリント中止」、「視聴画面へ戻る」といった操作が可能である。
【００５３】
以上の構成により、放送番組のような動画データからタイムスタンプ情報を利用して原画像データを検索し、検索結果を基にプリントコンテンツを作成、配信、プリント出力が可能となる。
【００５４】
このように、本形態によれば、プリント用として指定したフレームを特定するためのサービス情報や位置情報などを情報センタに送信し、情報センタではこの送信された情報に基づいて、配信前の原画像データを受信装置に送信している。そして、この原画像データに基づいてプリントを行うことで、高精細なプリント画像を得ることができる。
【００５５】
（第二の実施形態）
次に、本発明の第二の実施形態であるところの放送プリントシステムについて説明する。第二の実施形態における放送プリントシステムの主要部の構成は図１と同様であり、以下に異なる箇所に関して説明する。
【００５６】
本形態における放送プリントシステムを図９に示す。同図において、情報センタ１０５の情報比較／作成９０１機構が第一の実施例と異なっている。
【００５７】
放送受信装置１０５が情報センタ１０４に対して、番組情報を基にプリントコンテンツを要求するまでは第一の実施例と同様である。ただし、本形態では、第一の実施形態に加えプリンタ情報が付加される。
【００５８】
本実施形態における放送プリントシステムの一連の動作に関して図１０〜１３を用いて以下に説明する。尚、本実施例では第一の実施形態と同様に現在放送中の番組を受信しているものとする。
【００５９】
図１０は放送受信装置１０５において、ユーザーによりプリントコンテンツが指定されるまでの動作を説明するフローチャートである。
【００６０】
先ず、番組視聴中にユーザーにより静止画像が要求されると（Ｓ１００１）、放送受信装置１０５は画像データをメモリ１１９へと取り込む（Ｓ１００２）。放送受信装置１０５は取り込んだ画像データをもとに静止画像の作成を行い表示する（Ｓ１００３）。但し、第一の実施例と同様に、Ｓ１００３でユーザーに提示する静止画像はプリントコンテンツのイメージを示すものであり、この画像データをもとにプリント出力するわけではない。
【００６１】
次に、静止画像表示操作（Ｓ１００３）に続けて、ユーザーによりプリント出力の指示がなされると、放送受信装置は蓄積部１１８に蓄積しているＳＩ（Ｓｅｒｖｉｃｅ　Ｉｎｆｏｒｍａｔｉｏｎ）情報の解析を行い番組情報の取得を行う（Ｓ１００４）。ＳＩ情報の解析とは、プリント出力の指示を受けた番組を特定する為に、例えばＢＳ放送、ＣＳ放送、地上波デジタル放送といったネットワーク種別を判断する為のネットワークＩＤ、該ネットワークに含まれるトランスポートストリーム（ＴＳ）を指定する為のＴＳＩＤ、該トランスポートストリーム中のサービスを指定する為のサービスＩＤ、該サービス中の番組を特定する為のイベントＩＤをＮＩＴやＳＤＴ、ＥＩＴから取得することを指している。また、番組中のどの場面（フレーム）であるかを特定する方法として、静止画像のタイムスタンプ情報を取得する。タイムスタンプ情報とは、例えば映像情報をデコードする時間を記したＤＴＳやＰＴＳである。
【００６２】
次に、放送受信装置１０５は接続されているプリンタの情報をプリンタより取得する（Ｓ１００５）。ここでプリンタ情報とは、「プリント可能用紙サイズ」やインクジェット式やカラーレーザー式といった「プリンタ種別」、プリンタの解像度を示す「プリンタ出力能力」、プリント出力する際に使用する「カラープロファイルの種類」等を指す。
【００６３】
番組情報の取得（Ｓ１００４）及びプリンタ情報の取得（Ｓ１００５）が完了すると、放送受信装置１０５はインターネット１００を経由して情報センタ１０４へ番組情報の通知を行う。
【００６４】
図１１は情報センタ１０４において、番組情報及びプリンタ情報の通知を受け付けてから、画像情報を配信するまでを説明するフローチャートである。配信する画像情報については後ほど説明する。
【００６５】
情報センタ１０４において、番組情報及びプリンタ情報の通知を受け付けると、前述したネットワークＩＤ、ＴＳＩＤ、サービスＩＤ、イベントＩＤにより番組の特定を行う（Ｓ１１０１）。番組データは、情報センタ１０４から放送局１０１経由でコンテンツプロバイダ１０２から取得するか、データ放送データであれば情報センタ１０４から直接コンテンツプロバイダで管理されている番組データの取得を行うことも可能である。ここで、コンテンツプロバイダ１０２には、放送されている番組が圧縮される前の状態で蓄積、管理されている為、放送データに比べ、より高画質・高品質な番組データの取得が行える。
【００６６】
放送受信装置１０５より通知された番組情報を基に、番組の検索・取得（Ｓ１１０２）が完了すると、情報センタ１０４ではユーザーにより指定されたプリントコンテンツをタイムスタンプ情報から検索する（Ｓ１１０２）。また、プリントコンテンツはタイムスタンプ情報から特定される一場面のみではなく、該タイムスタンプの前後を含む複数の場面をプリントコンテンツとしても良い。検索方法については第一の実施形態と同様であるため説明は省略する。
【００６７】
プリントコンテンツが特定されると情報センタ１０４ではプリントの可／不可を判断する。勿論、プリントの可／不可は情報センタ１０４による判断だけではなく、放送局１０１による判断でも構わない。プリント出力が可であれば、情報センタ１０４は、放送受信装置により通知されたプリンタ情報を基に、ユーザーがプリント出力する際のプリンタの設定情報の作成を行い（Ｓ１１０３）、プリントコンテンツに関する情報として配信を行う（Ｓ１１０４）。もし、プリント出力が不可であれば、情報センタ１０４よりプリント出力が不可であることをメッセージとして配信する（Ｓ１１０５）。
【００６８】
ここで、プリンタの設定情報とは、プリント出力する際の「画像サイズ」や「用紙の種類」、「プリント方向」、「出力画質」等の設定値を示すもので、前述した「プリント可能用紙サイズ」、「プリンタ種別」、「プリンタ出力能力」、「カラープロファイルの種類」等の情報から作成される。また、上記設定情報はそれぞれの組み合わせにより配信されても良い。
【００６９】
図１２は設定情報を受信してからユーザーによりプリンタ設定が行われ、該プリンタ設定情報を情報センタへ通知されるまでを説明するフローチャートである。
【００７０】
まず、情報センタ１０４よりプリンタ設定情報を受信すると（Ｓ１２０１）、該設定情報を表示画面上へ表示する（Ｓ１２０２）。ユーザーは表示された設定情報を基に、例えば「画像サイズ」や「用紙の種類」、「プリント方向」、「出力画質」等のプリンタの出力設定を行う（Ｓ１２０３）。ここで、プリンタの出力設定はプリンタの設定情報として受信した各設定の組み合わせを選択する方法でも良い。
【００７１】
出力設定が完了するとユーザーの指示により出力設定の情報を情報センタへ配信する（Ｓ１２０４）。
【００７２】
もし、プリントコンテンツがプリント不可である場合はその旨をメッセージとしてユーザーへ提示する（Ｓ１２０５）。
【００７３】
図１３は情報センタ１０４にて受信したプリンタの出力設定を基に、プリントコンテンツをユーザーに配信するまでを説明するフローチャートである。
【００７４】
まず、情報センタ１０４では放送受信装置１０５よりプリンタ出力情報を受信すると（Ｓ１３０１）、出力情報の解析を行う（Ｓ１３０２）。出力情報の解析により、原画像をプリンタの出力能力に適した画像へと変換／処理する（Ｓ１３０３）。出力対象のプリンタに適したプリントコンテンツが作成されると、情報センタ１０４より放送受信装置１０５へプリントコンテンツとして配信する（Ｓ１３０４）。
【００７５】
図１４はプリントコンテンツの受信に伴う受信装置１０５の処理を示すフローチャートである。
【００７６】
情報センタ１０４よりプリントコンテンツを受信すると（Ｓ１４０１）、放送受信装置１０５は前述した静止画像の表示（Ｓ１００３）に変わって、プリントコンテンツとして新たに静止画像の提示を行う（Ｓ１４０２）。ユーザーによりプリントコンテンツの出力指示がなされると（Ｓ１４０３）、プリントコンテンツの出力が行われる（Ｓ１４０４）。
【００７７】
次に、ユーザーによりプリント出力の指示を受け、画像データを取得するまでのシーケンスについて放送受信装置の動作を中心に図１５を用いて説明する。ここで、説明中に出てくるコマンド／レスポンスの基本構成は第一の実施形態と同様である。
【００７８】
まず、放送データもしくは通信用データを受信中（１５０１）、ユーザーによりプリント出力が要求されると、放送受信装置１０５は信装置に装着されているＩＣカードに対して「データ通信開始コマンド」により通信開始を要求する（１５０２）。ＩＣカードは指定された情報センタとの暗号通信が可能な状態であると判断すると、リターンコードとして「データ送信可」を返し（１５０３）、アプリケーションで指定される情報センタの情報に従い、内蔵のモデムより情報センタに対してダイヤルし回線を接続する（１５０４）。
【００７９】
放送受信装置１０５と情報センタ１０４との接続が行われると（１５０５）、放送受信装置１０５はＩＣカードに「呼接続状態通知コマンド」により「接続完了」を通知し、接続に失敗した場合には「発呼失敗」の通知を行う（１５０６）。また、「発呼失敗」の場合は以下の動作は実行しない。
【００８０】
放送受信装置１０５と情報センタ１０４との接続が完了すると、ＩＣカードは放送受信装置１０５を介して情報センタ１０４との間でお互いの認証を行う（１５０７、１５０８）。認証内容に関してはセキュリティの問題等から放送受信装置１０５はＩＣカードと情報センタとのやりとりには関与しない。
【００８１】
放送受信装置１０５は「センタ応答コマンド」のレスポンスで（１５０８）、リターンコードとして「データ送信可」がＩＣカードより送られると（１５０９）、「データ通信モード」となり、ＩＣカードに対して送信データを「データ暗号コマンド」により送信する（１５１０、１５１２）。ここで、送信データは例えば表３に示す構成からなり、データ部（ｔ３０１）に放送番組を特定する為の番組情報、及びプリンタの出力能力を示す為のプリンタ情報が記述されている。
【００８２】
ＩＣカードは受け取ったデータを暗号化し、結果を放送受信装置１０５に対して返す（１５１１、１５１３）。この時、送信データのバイトサイズが例えば２０４８バイトより大きかった場合には複数個に分割して送信する。放送受信装置１０５はＩＣカードより受け取った暗号化されたデータを情報センタ１０４へ送信する（１５１４）。情報センタ１０４は暗号化されたデータを解析し、データ中に記述されている「ネットワークＩＤ」、「ＴＳＩＤ」、「サービスＩＤ」、「番組ＩＤ」、「タイムスタンプ」等の情報から目的のコンテンツを検索しコンテンツプロバイダから所望の画像データを取得する（１５１５、１５１６）。情報センタ１０４は取得した「画像データ」とプリンタ情報とを比較／処理し、プリンタ設定情報を作成する。作成されたプリンタ設定情報は「応答データ」として暗号化してから放送受信装置１０５へ送信される（１５１７）。
【００８３】
放送受信装置１０５は受け取った応答データを「応答データ復号コマンド」によりＩＣカードに渡す（１５１８）。ＩＣカードは受け取った暗号化応答データを復号し、放送受信装置１０５に対して復号した応答データを返す（１５１９）。この時、受信データのバイトサイズが大きかった場合には複数個に分割して送信する（１５２０、１５２１）。
【００８４】
放送受信装置１０５は受け取った応答データを画面上に表示し、ユーザーによるプリンタ出力の設定情報の入力まで待機する。プリントコンテンツの出力方法が入力されると、放送受信装置１０５はＩＣカードに対して送信データを「データ暗号コマンド」により送信する（１５２２、１５２４）。ＩＣカードは受け取ったデータを暗号化し、結果を放送受信装置１０５に対して返す（１５２３、１５２５）。放送受信装置１０５はＩＣカードより受け取った暗号化されたデータを情報センタ１０４へ送信する（１５２６）。情報センタ１０４は暗号化されたデータを解析し、放送局から取得した「画像データ」をプリンタ出力の設定情報に適した形態へと変換／処理し、プリントコンテンツデータを「応答データ」として暗号化してから放送受信装置１０５へと送信する（１５２７）。
【００８５】
放送受信装置１０５は受け取った応答データを「応答データ復号コマンド」によりＩＣカードに渡す（１５２８）。ＩＣカードは受け取った暗号化応答データを復号し、放送受信装置１５に対して復号した応答データを返す（１５２９）。この一対の往復処理を必要に応じて複数回行う。
【００８６】
データ通信を終了すると、放送受信装置１０５はＩＣカードに対して「データ通信終了コマンド」を送信し（１５３０）、レスポンスとしてＩＣカードから情報センタへ「正常終了」が返される（１５３１）。情報センタでは「正常終了」を受信すると、「センタ応答コマンド」として「正常終了」をＩＣカードに通知する（１５３２）。
【００８７】
呼切断は、放送受信装置１０５に対して「呼切断」をＩＣカードがレスポンスのＩＣカード指示として通知することにより行われる（１５３３）。
【００８８】
以上の手順により、指定された番組情報からプリント対象となる画像データを検索し、プリンタ情報と比較してプリントコンテンツを作成し、インターネットを介して放送受信装置１０５へ送信する。
【００８９】
このように、本形態では、指定されたプリント用画面の情報に加えて、プリンタの情報を情報センタに送信し、このプリンタの特性に対応した原画像データを情報センタから送信するので、よりプリントに適した画像データを得ることができる。
【００９０】
【発明の効果】
以上説明したように、本発明によれば、高画質なプリント用の映像データを得ることが可能となる。
【図面の簡単な説明】
【図１】本発明を適用した第一の実施形態の放送プリントシステムの構成図である。
【図２】放送プリントシステムの処理の流れを示す図である。
【図３】放送プリントシステムの処理の流れを示す図である。
【図４】放送プリントシステムの処理の流れを示す図である。
【図５】第一の実施形態における、放送受信装置の動作を示すシーケンス図である。
【図６】第一の実施形態における放送プリントシステムの簡易構成図である。
【図７】タイムスタンプと原画像の関係を示す図である。
【図８】プリントコンテンツ受信時の表示画面を示す図である。
【図９】本発明を適用した第二の実施形態の放送プリントシステムの構成図である。
【図１０】放送プリントシステムの処理の流れを示す図である。
【図１１】放送プリントシステムの処理の流れを示す図である。
【図１２】放送プリントシステムの処理の流れを示す図である。
【図１３】放送プリントシステムの処理の流れを示す図である。
【図１４】放送プリントシステムの処理の流れを示す図である。
【図１５】第二の実施例における、放送受信装置の動作を示すシーケンス図である。
【図１６】放送受信装置から情報センタに送信されるデータの様子を示す図である。
【図１７】圧縮前の映像フレームデータと圧縮後のタイムスタンプの関係を示す図である。
【図１】
2004102590.tif 000003
【図２】
2004102590.tif 000004
【図３】
2004102590.tif 000005
【図４】
2004102590.tif 000006
【図５】
2004102590.tif 000007
【図６】
2004102590.tif 000008
【図７】
2004102590.tif 000009
【図８】
2004102590.tif 000010
【図９】
2004102590.tif 000011
【図１０】
2004102590.tif 000012
【図１１】
2004102590.tif 000013
【図１２】
2004102590.tif 000014
【図１３】
2004102590.tif 000015
【図１４】
2004102590.tif 000016
【図１５】
2004102590.tif 000017
【図１６】
2004102590.tif 000018
【図１７】
2004102590.tif 000019